(57)【要約】【課題】ロック機構が容易に破壊できないドア取付構造を提供すること。【解決手段】本発明のドア取付構造は、略矩形のドア枠１と、室内方向のみに回動可能にドア枠にヒンジ連結された略矩形のドア本体２と、ドア本体の室内側面に回転自在に設けられたハンドル８と、ドア本体の上部の端面２ａから突出するように付勢され、ハンドルの回転に応答して端面から待避可能なラッチボルト４を有するケース６と、ドア本体の閉鎖時に、ドア本体の端面から突出したラッチボルトを受け入れるようにドア枠の上部に配置された電気ストライク１２と、入出用カードを読み取り、電気ストライクに開信号を送信するカードリーダ２０と、を備えていることを特徴とする。【選択図】図１
2010270493.tif 000002
【特許請求の範囲】
【請求項１】
ドア取付構造であって、
略矩形のドア枠と、
室内方向のみに回動可能に前記ドア枠にヒンジ連結された略矩形のドア本体と、
前記ドア本体の室内側面に回転自在に設けられたハンドルと、
前記ドア本体の上部の端面から突出するように付勢され、前記ハンドルの回転に応答して前記端面から待避可能なラッチボルトを有するケースと、
前記ドア本体の閉鎖時に、前記ドア本体の端面から突出したラッチボルトを受け入れるように前記ドア枠の上部に配置された電気ストライクと、
入出用カードを読み取り、前記電気ストライクに開信号を送信するカードリーダと、を備えている、
ことを特徴とするドア取付構造。
【請求項２】
前記ハンドルが、前記ドア本体の高さ方向のほぼ中間位置に配置されている、
請求項１に記載のドア取付構造。
【請求項３】
前記ラッチボルトが、ドア本体の頂部端面から突出する、
請求項１または２に記載のドア取付構造。
【請求項４】
前記ラッチボルトが、ドア本体の側端面上部から突出する、
請求項１または２に記載のドア取付構造。
【請求項５】
前記ハンドルの取付位置に対応するドア本体の室外側面に固定式ハンドルが設けられている、
請求項１ないし４のいずれか１項に記載のドア取付構造。
【請求項６】
前記ドア本体が、両開きドアの親扉であり、
前記両開きドアの子扉が、閉鎖位置に固定可能であり、かつ前記ドア枠に室内方向のみに回動可能に取付けられている、
請求項１ないし５のいずれか１項に記載のドア取付構造。
【発明の詳細な説明】
【技術分野】
【０００１】
本発明は、概略的には、ドア取付構造に関し、詳細には、カードリーダからの信号に基づいて解錠動作を行うドア取付構造に関する。
【背景技術】
【０００２】
セキュリティ上の観点から、カードリーダからの信号に基づいて解錠する電気錠を備えたドアが使用されている。このようなドアでは、カードリーダからの信号でデッドボルトをアンロック状態に作動させるアクチュエータがドア本体内に取付けられている。このため、ドア本体に通電ケーブルを通す必要があり、設置時にドア本体の加工等に手間と時間を要していた。さらに、ドア枠とドア本体との間を結ぶ外部に露出した通電ケーブルを設ける必要があり、この外部に露出したケーブルが故障の原因となる他、見栄えを悪化させる等の問題があった。
【０００３】
このような問題に対処するため、デッドボルトに係合しドア本体を閉位置にロックするロック位置と、デッドボルトを解放してドア本体を開放可能とするアンロック位置との間を移動可能なラチェットと、このラチェットをカードリーダからの信号に基づいて駆動するアクチュエータとを備えた所謂電気ストライクをドア枠に取り付けたドア取付構造が提案されている。（特許文献１）
【先行技術文献】
【特許文献】
【０００４】
【特許文献１】特開２００９−４４５２４号公報
【発明の概要】
【発明が解決しようとする課題】
【０００５】
しかしながら、このようなドア取付構造は、ドアノブ（ハンドル)の側方位置にデッドボルト、電気ストライク等のロック機構が配置されている構造である。即ち、ロック機構が破壊し易い高さ位置に配置されているため、破壊が容易であり、セキュリティの観点からは、好ましいものではなかった。
【０００６】
さらに、このようなドア取付構造を両開きドアに適用する場合には、子扉側に電気ストライクが配置されることになるので、子扉内に通電ケーブルを通す必要があり、また、ドア枠と子扉との間に外部に露出した通電ケーブルを設ける必要もあった。
このため、設置時に子扉の加工等に手間と時間を要していた。さらに、ドア枠と子扉との間の外部に露出した通電ケーブルが、故障の原因となる他、見栄えを悪化させる等の問題が依然としてあった。
【０００７】
本発明はこのような問題に対処するためになされたものであり、ロック機構が容易に破壊できないドア取付構造を提供することを目的とする。
また、両開きドアに適用した場合にも、ドアの加工に手間と時間を要することが無く、また、見栄えも良いドア取付構造を提供することを目的とする。
【課題を解決するための手段】
【０００８】
本発明によれば、
ドア取付構造であって、
略矩形のドア枠と、
室内方向のみに回動可能に前記ドア枠にヒンジ連結された略矩形のドア本体と、
前記ドア本体の室内側面に回転自在に設けられたハンドルと、
前記ドア本体の上部の端面から突出するように付勢され、前記ハンドルの回転に応答して前記端面から待避可能なラッチボルトを有するケースと、
前記ドア本体の閉鎖時に、前記ドア本体の端面から突出したラッチボルトを受け入れるように前記ドア枠の上部に配置された電気ストライクと、
入出用カードを読み取り、前記電気ストライクに開信号を送信するカードリーダと、を備えている、
ことを特徴とするドア取付構造が提供される。
【０００９】
このような構成によれば、ラッチボルト、電気ストライクがドア本体或いはドア枠の上部に配置されているので、これらを破壊するためには踏み台等が必要となる。このため、破壊工作が、容易ではなく、また目立ってしまう。したがって、セキュリティー性が向上する。
【００１０】
本発明の他の好ましい態様によれば、前記ハンドルが、前記ドア本体の高さ方向のほぼ中間位置に配置されている。
【００１１】
本発明の他の好ましい態様によれば、前記ラッチボルトが、ドア本体の頂部端面から突出する。
本発明の他の好ましい態様によれば、前記ラッチボルトが、ドア本体の側端面上部から突出する。
【００１２】
本発明の他の好ましい態様によれば、前記ハンドルの取付位置に対応するドア本体の室外側面に固定式ハンドルが設けられている。
【００１３】
本発明の他の好ましい態様によれば、
前記ドア本体が、両開きドアの親扉であり、
前記両開きドアの子扉が、閉鎖位置に固定可能であり、かつ前記ドア枠に室内方向のみに回動可能に取付けられている。
このような構成によれば、両引き扉で電気ストライクを使用する場合であって、子扉に通電ケーブルを通す必要がないので、子扉の加工に手間と時間を要することが無く、また、見栄えも悪くならない。
【図面の簡単な説明】
【００１４】
【図１】本発明の第１実施形態のドア取付構造において、ドア本体が室内側に半開きにされた状態を示す模式的な斜視図である。
【図２】凹部内に配置されたラッチボルトと、ロック位置に配置されたラチェットとの位置関係を示す断面図である。
【図３】本発明の第２実施形態のドア取付構造において、ドア本体が室内側に半開きにされた状態を示す模式的な斜視図である。
【図４】本発明の第３実施形態のドア取付構造において、両開きドアの親扉が室内側に半開きにされた状態を示す模式的な斜視図である。
【発明を実施するための形態】
【００１５】
以下、図面に沿って、本発明の実施形態のドア取付構造について説明する。先ず、図１に沿って、本発明の第１実施形態のドア取付構造の説明をする。図１は、本発明の第１実施形態のドア取付構造において、ドア本体が室内側に半開きにされた状態を示す模式的な斜視図である。
【００１６】
図１に示されているように、ドア取付構造は、建物の出入り口に取付けられた矩形のドア枠１と、ドアの吊り元側で図示しないヒンジ部材によってドア枠１に回転自在に取付けられたドア本体２とを備えている。ドア本体２は、図１において半開きにされている方向（矢印Ａ方向）にのみ、すなわち室内方向にのみに回動可能に構成されている。
【００１７】
ドア本体２の頂部には、ドア本体２の頂面２ａから突出するラッチボルト４を備えたケース６が内蔵されている。ラッチボルト４は、室内側に面する垂直壁４ａと、室外側に面する傾斜壁４ｂを備えた略三角柱形状を有している。さらに、ラッチボルト４は、ドア本体２の頂面２ａから突出した突出位置(図１)と、ドア本体２内に完全に収容された待避位置との間を移動可能に構成され、さらに、ケース６内に設けられている付勢手段によって、ドア本体２の頂面２ａから突出した突出位置（図１)に向けて常時、付勢されている。
【００１８】
ドア本体２の室内側面のドア高さ方向のほぼ中間位置には、回転可能なハンドル８が取付けられている。ハンドル８は、ドア本体２内に設けられた四節リンク機構１０の下端に連結されている。リンク機構１０は、上端が、ケース６内のラッチボルト作動機構に連結され、室内側の人員によるハンドル８の回転操作により、ラッチボルト４を待避位置に移動させることができるように構成されている。
【００１９】
ドア枠１の上部（頂部）には、ストライク１２が取付けられている。ストライク１２は、ドア本体２の閉鎖時に、ドア本体２の頂面２ａから突出したラッチボルト４を受け入れる凹部１４を備えている。凹部１４は、室内側に向かって開口する切欠き部１６を備え、突出位置あるラッチボルト４が切欠き部１６を通って室内側から進入可能とされている。
【００２０】
ストライク１２は、電動アクチュエータ（図示せず）によって作動するラチェット１８が内部に取付けられている公知の構造を備えた所謂電気ストライクである。ラチェット１８は、アクチュエータにより、矢印Ｂで示すように、ロック位置とアンロック位置との間を移動可能に構成されている。
【００２１】
図２は、凹部１４内に配置されたラッチボルト４と、ロック位置に配置されたラチェット１８との位置関係を示す断面図である。図２に示されているように、アンロック位置で、ラチェット１８は、凹部１４に収容されたラッチボルト４の垂直壁４ａに凹部１４の切欠き部１６側から係合し、ラッチボルト４が切欠き部１６を通して凹部１４から退出できないようにしてラッチボルト４を凹部１４内に閉じこめる。この結果、ドア本体２は、室内側に回動できなく、即ち、ロック（施錠）される。
なお、ラチェット１８は、ロック状態においても、ラッチボルト４が室内側から切欠き部１６を通って凹部１４内に進入することは許容するように構成されている。
【００２２】
アンロック位置では、ラチェット１８は、アンロック位置から回動することによって、ラッチボルト４の垂直壁４ｂとの係合が解除され、切欠き部１６を通して凹部１４から室内側に退出できる。この結果、ドア本体２はアンロック（解錠）され、室側側から室内側に押すだけで、室内側に向かって開くことができる。
【００２３】
また、室内側のハンドル８を回転させることによってラッチボルト４をドア本体２の端面から待避した待避位置に移動させると、ラッチボルト４とラチェット１８の係合が解除されるので、ラチェット１８がロック位置に配置されていても、ドア本体２はアンロック状態となり、室内側に向かって開くことができる。
【００２４】
さらに、室外側の壁面には、入出用カードを読み取るカードリーダ２０が設けられている。カードリーダ２０は、ドア枠１の室外面またはドア枠１近傍の室外側壁面に配置されるのが好ましい。
【００２５】
カードリーダ２０は、入室を希望する人員によってかざされた磁気カード、ＩＣカード等の入室カードを読み取って、アクチュエータに開信号を送ることによってこれを駆動し、ラチェット１８をアンロック位置に移動させるように構成されている。
【００２６】
また、ハンドルの取付位置に対応するドア本体２の室外側面には、固定式ハンドルである押し棒２２が取付けられ、入室カードをカードリーダに読み取らせて解錠した後、ドア本体２を室内側に押し開く動作を容易に行えるように構成されている。
【００２７】
次に、本発明の第２実施形態のドア取付構造の説明をする。図３は、本発明の第２実施形態のドア取付構造において、ドア本体が室内側に半開きにされた状態を斜め下方から示す模式的な斜視図である。
【００２８】
第２実施形態のドア取付構造は、ケースおよび電気ストライクの取付位置以外は、上記第１実施形態のドア取付構造と同一の構成を備えている。即ち、上記第１実施形態では、ラッチボルト４がドア本体２の頂面２ａから突出するようにケース６がドア本体２の頂部に配置され、このラッチボルト４を受け入れるようにストライク１２がドア枠１の上部（頂部）に取付けられていたが、本実施形態では、ラッチボルト４’がドア本体２’の側端面２’ｂ上部から突出するようにケース６’がドア本体２’の上部に配置され、このラッチボルト４’を受け入れるようにストライク１２’がドア枠１’の側壁上部に取付けられている。
【００２９】
次に、本発明の第３実施形態のドア取付構造の説明をする。図４は、本発明の第３実施形態のドア取付構造において、ドア本体が室内側に半開きにされた状態を斜め上方から示す模式的な斜視図である。
【００３０】
第３実施形態のドア取付構造は、上記第１実施形態のドア取付構造を両開きドアに適用したものである。即ち、第３実施形態のドア取付構造では、両開きドアの親扉部分のドア枠とドア本体に第１実施形態のドア取付構造が適用されている。
【００３１】
第３実施形態のドア取付構造では、子扉３０は、閉鎖位置に固定可能であり、かつドア枠１”に室内方向のみに回動可能に取付けられている。
【００３２】
本発明の前記実施形態に限定されることなく、特許請求の範囲に記載された技術的思想の範囲内で種々の変更、変形が可能である。
【００３３】
例えば、上記実施形態では、ドア本体の室内側には、室内側からの解錠用のハンドル８が設けられていたが、ハンドルに代えて、ノブ等の他の形式の解錠用部材を設けた構成でもよい。
【００３４】
また、上記実施形態では、ドア本体の室外側に入室者用のグリップとしての押し棒２２が設けられていたが、他の固定式の取っ手を採用してもよく、また、このようなグリップを設けない構成でもよい。
【００３５】
又、ドア本体２の室外側面の上部に、電気ストライクの故障時に、室外側からキーによってラッチボルトをアンロック状態に移行させるための非常用シリンダを設けた構成でもよい。
【図１】
2010270493.tif 000003
【図２】
2010270493.tif 000004
【図３】
2010270493.tif 000005
【図４】
2010270493.tif 000006